(57)【要約】      （修正有）【課題】仕切板と縦枠材との間の隙間に対する事故防止策を備え、見栄えの良い仮設バリケードを提供する。【解決手段】一対の縦枠材２，２間に仕切板６を保持させた複数のフェンスユニット１，１と、互いに隣り合うフェンスユニット１，１を連結する連結具１０とを備えた仮設バリケードにおいて、縦枠材２と仕切板６との間の隙間８を覆う保護部材１２を備え、保護部材１２を連結具１０に支持させる。【選択図】図１
0003193102.tif 000002
【実用新案登録請求の範囲】
【請求項１】
一対の縦枠材間に金網及び／又は仕切板を保持させた複数のフェンスユニットと、互いに隣り合うフェンスユニットを連結する連結具とを備えた仮設バリケードにおいて、
前記縦枠材と前記金網及び／又は仕切板との間の隙間を覆う保護部材を備え、該保護部材を前記連結具に支持させたことを特徴とする仮設バリケード。
【請求項２】
前記保護部材は、表面に文字、図形又はそれらの組み合わせからなる表示部を備えた請求項１に記載の仮設バリケード。
【請求項３】
前記連結具は、両端に把持部を有する一対の把持金具と、該両把持金具を貫通したねじ部材とを備え、前記ねじ部材に前記保護部材が固定された請求項１又は２に記載の仮設バリケード。  
【請求項４】
前記連結具は、互いに隣り合うフェンスユニットの前記縦枠材を跨ぐように配置される連結具基部と、該連結具基部の背面に互いに間隔を置いて突設された一対の挿し込み部とを備え、
前記挿し込み部に前記仕切板及び／又は前記縦枠材の裏面側と係合する係合部を備え、前記各挿し込み部を互いに隣り合うフェンスユニットの各縦枠材と仕切板との間の隙間に挿し込むことにより前記互いに隣り合うフェンスユニットの前記両縦枠材を前記両挿し込み部で挟持するようにした請求項１又は２に記載の仮設バリケード。
【請求項５】
前記連結具基部と前記保護部材とを一体に形成した請求項４に記載の仮設バリケード。
【考案の詳細な説明】
【技術分野】
【０００１】
本考案は、工事現場等の安全確保のために設置される仮設バリケードに関する。
【背景技術】
【０００２】
従来、土木工事現場や建築現場では、現場周囲を組み立て式の仮設バリケードで囲み、部外者の侵入防止や建設資材等の飛散防止を図ることで施工中の安全を確保し、施工完了後に仮設バリケードを撤去するようにしている。
【０００３】
この種の仮設バリケードは、複数のフェンスユニットを互いに隣接するように施工現場の周囲に並べ、互いに隣り合うフェンスユニットを連結具で互いに連結することにより組み立てられている（例えば、特許文献１を参照）。
【０００４】
フェンスユニット１は、図６に示すように、互いに間隔を置いて平行に配置された一対の丸棒状の縦枠材２，２を備え、この両縦枠材２，２間に丸棒状の横枠材３，３...が架け渡されて枠体４を成し、横枠材３により区切られた枠体４の上段部に金網５が保持され、枠体下段の両縦枠材２，２間に仕切板６が保持されている（例えば、特許文献２を参照）。
【０００５】
仕切板６は、金属製の薄板により構成され、その周縁部が縦枠材２及び横枠材３の内縁に固定された保持具７，７...にビス止め又はねじ止めによって固定され、枠体下段の両縦枠材２，２間に保持されるようになっている。
【先行技術文献】
【特許文献】
【０００６】
【特許文献１】特開２００８−２９１４６４号公報
【特許文献２】特開平１１  −１０７５３７号公報
【考案の概要】
【考案が解決しようとする課題】
【０００７】
しかしながら、この種の仮設バリケードに使用される従来のフェンスユニットには、縦枠材２と仕切板６との間に若干の隙間８が生じ、その隙間８に誤って指を挟む等の事故が発生する虞があった。
【０００８】
一方、この種のフェンスユニットは、量産品が現在も多数在庫として存在するため、経済的見地からそれらを施工現場毎に転用せざるを得ず、仮設バリケードを設置する毎に隙間に対する事故防止策を施す必要がある。
【０００９】
そこで、従来では、フェンスユニットの縦枠材と仕切板との間の隙間をガムテープ等のテープ材で塞ぐことによって応急処置を施していたが、この方法では、テープ材を張り付ける作業に手間がかかり、しかも著しく美観を損ねるという問題があった。
【００１０】
そこで、本考案は、このような従来の問題に鑑み、フェンスユニットの仕切板と縦枠材との間の隙間による事故を防止でき、且つ、見栄えの良い仮設バリケードの提供を目的としてなされたものである。
【課題を解決するための手段】
【００１１】
本考案に係る請求項1に記載の考案の特徴は、一対の縦枠材間に金網及び／又は仕切板を保持させた複数のフェンスユニットと、互いに隣り合うフェンスユニットを連結する連結具とを備えた仮設バリケードにおいて、前記縦枠材と前記金網及び／又は仕切板との間の隙間を覆う保護部材を備え、該保護部材を前記連結具に支持させた仮設バリケードにある。
【００１２】
請求項２に記載の考案の特徴は、請求項１の構成に加え、前記保護部材は、表面に文字、図形又はそれらの組み合わせからなる表示部を備えたことにある。  
【００１３】
請求項３に記載の考案の特徴は、請求項１又は２の構成に加え、前記連結具は、両端に把持部を有する一対の把持金具と、該両把持金具を貫通したねじ部材とを備え、前記ねじ部材に前記保護部材が固定されたことにある。  
【００１４】
請求項４に記載の考案の特徴は、請求項１又は２の構成に加え、前記連結具は、互いに隣り合うフェンスユニットの前記縦枠材を跨ぐように配置される連結具基部と、該連結具基部の背面に互いに間隔を置いて突設された一対の挿し込み部とを備え、前記挿し込み部に前記仕切板及び／又は前記縦枠材の裏面側と係合する係合部を備え、前記各挿し込み部を互いに隣り合うフェンスユニットの各縦枠材と仕切板との間の隙間に挿し込むことにより前記互いに隣り合うフェンスユニットの前記両縦枠材を前記両挿し込み部で挟持するようにしたことにある。
【００１５】
請求項５に記載の考案の特徴は、請求項４の構成に加え、前記連結具基部と前記保護部材とを一体に形成したことにある。
【考案の効果】
【００１６】
本考案に係る仮設バリケードにおいては、一対の縦枠材間に金網及び／又は仕切板を保持させた複数のフェンスユニットと、互いに隣り合うフェンスユニットを連結する連結具とを備えた仮設バリケードにおいて、前記縦枠材と前記金網及び／又は仕切板との間の隙間を覆う保護部材を備え、該保護部材を前記連結具に支持させたことにより、見栄え良く縦枠材と仕切板等との隙間を覆い、好適に隙間に対する事故防止を図ることができる。
【００１７】
また、本考案において、前記保護部材は、表面に文字、図形又はそれらの組み合わせからなる表示部を備えたことにより、保護部材をバリケード外側の通行人等に対する注意喚起や広告に使用できる。
【００１８】
更に、本考案において、前記連結具は、両端に把持部を有する一対の把持金具と、該両把持金具を貫通したねじ部材とを備え、該ねじ部材に前記保護部材が固定されことにより、既存の連結具を用いて保護部材を支持させることができる。
【００１９】
更にまた、本考案において、前記連結具は、互いに隣り合うフェンスユニットの前記縦枠材を跨ぐように配置される連結具基部と、該連結具基部の背面に互いに間隔を置いて突設された一対の挿し込み部とを備え、前記挿し込み部に前記仕切板及び／又は前記縦枠材の裏面側と係合する係合部を備え、前記各挿し込み部を互いに隣り合うフェンスユニットの各縦枠材と仕切板との間の隙間に挿し込むことにより前記互いに隣り合うフェンスユニットの前記両縦枠材を前記両挿し込み部で挟持するようにしたことにより、ワンタッチで容易に隣り合う両フェンスユニットを連結でき、且つ、保護部材を好適に支持することができる。
【００２０】
また、本考案において、前記連結具基部と前記保護部材とを一体に形成したことにより、連結具と保護部材とをユニット化できる。
【図面の簡単な説明】
【００２１】
【図１】本発明に係る仮設バリケードの一例を示す正面図である。
【図２】同上のフェンス連結部分の状態を示すＡ−Ａ線拡大断面図である。
【図３】同上の保護部材部分を示す部分拡大正面図である。
【図４】（ａ）は本発明に係る仮設バリケードに使用する保護部材一体型の連結具を示す拡大側面図、（ｂ）は同拡大背面図である。
【図５】同上の連結部材を使用した際のフェンス連結部分を示す部分拡大横断面図である。
【図６】従来の仮設バリケードに使用するフェンスユニットを示す正面図である。
【考案を実施するための形態】
【００２２】
次に、本考案に係る仮設バリケードの第１の実施形態を図１〜図３に示した実施例に基づいて説明する。尚、上述の実施例と同様の構成には同一符号を付して説明し、図中符号１は仮設バリケードを構成するフェンスユニットである。
【００２３】
フェンスユニット１は、図６に示す従来例と同様に、互いに間隔を置いて平行に配置された一対の丸棒状の縦枠材２，２を備え、この両縦枠材２，２間に丸棒状の横枠材３，３...が架け渡されて枠体４を成し、横枠材３により区切られた枠体４の上段部に金網５が保持され、枠体４下段の両縦枠材２，２間に薄板状の金属板からなる仕切板６が保持されている。
【００２４】
仕切板６は、ステンレス板等の金属製の薄板によって構成され、その周縁部が縦枠材２，２に固定された保持具７にビス止め又はねじ止めによって固定され、枠体４下段の両縦枠材２，２間に保持されるとともに、仕切板６と縦枠材２，２との間に若干の隙間８が形成されている。
【００２５】
仮設バリケードは、複数のフェンスユニット１，１を工事現場等の設置区画の周囲に並べ、互いに隣り合うフェンスユニット１が連結具１０により連結されている。尚、図中符号１１は、フェンス設置用のブロック材であって、このブロック材１１に縦枠材２，２の下端を挿し込むことにより各フェンスユニット１が立設されるようになっている。
【００２６】
また、この仮設バリケードでは、各フェンスユニット１の縦枠材２と仕切板６との間の隙間８を覆う保護部材１２を備え、隙間８に誤って指が挟まれることを防止し、保護部材１２は連結具１０に支持されている。
【００２７】
連結具１０は、図２に示すように、一対の把持金具１３，１３と、両把持金具１３，１３を貫通した蝶ねじ等のねじ部材１４とを備え、ねじ部材１４の先端に保護部材１２が固定されている。
【００２８】
各把持金具１３，１３は、平板部１３ａの両端に円弧状の把持部１３ｂ，１３ｂを一体に有し、把持部１３ｂ，１３ｂの内径側を互いに対向させて両把持金具１３，１３を配置することにより、連結具１０が平面視メガネ型状を成している。
【００２９】
また、各把持金具１３，１３の平板部１３ａ中央には、雌ねじ部１３ｃが形成され、この雌ねじ部１３ｃにねじ部材１４をねじ込んで貫通し、雌雄両ねじが嵌め合わされ、ねじ部材１４の回転に伴い両把持金具１３，１３が互いに近接又は離反するようになっている。
【００３０】
そして、両把持金具１３，１３をフェンスユニット１の表裏にそれぞれ配置し、ねじ部材１４を締め付けることにより把持部１３ｂ，１３ｂでフェンスユニット１の縦枠材２を把持し、両縦枠材２，２を連結する。
【００３１】
一方、保護部材１２とねじ部材１４との固定手段は、特に限定されないが、例えば、図２に示すように、保護部材１２の所望の位置に貫通孔１２ａを形成し、この貫通孔１２ａにねじ部材１４の先端部を挿通させ、ねじ部材１４に保護部材１２を挟んだ表裏両側よりナット１５ａ，１５ｂを締め付けることにより固定するようにしてもよい。
【００３２】
保護部材１２は、樹脂材等により矩形板状に形成され、連結具１０で両フェンスユニット１，１を連結した際に、連結具１０に支持されてその両側部で各フェンスユニット１の仕切板６と縦枠材２，２との隙間８の表側を覆うようになっている。
【００３３】
保護部材１２は、連結される一方のフェンスユニット１の仕切板６の端から他方のフェンスユニット１の仕切板６の端までの距離とほぼ同じかそれ以上の幅を有するように形成されている。
【００３４】
この保護部材１２には、図３に示すように、表面に文字、図形又はその組み合わせによる表示部１６を備え、保護部材１２を仮設バリケード外側の通行人等に対する注意喚起や広告に利用してもよい。
【００３５】
このように構成された仮設バリケードでは、連結具１０に保護部材１２を支持させたことにより、各フェンスユニット１，１の連結作業とともに、危険な縦枠材２，２と仕切板６との間の隙間８を覆うことができ、美観を損なうことなく効率的に隙間８に対する事故防止策を施すことができる。
【００３６】
また、保護部材１２の表面に文字、図形又はそれらの組み合わせからなる表示部１６を備えることにより、仮設バリケードの外側を通行する人の注意を喚起し、一層の安全を確保できる。
【００３７】
尚、連結具の態様は、上述の実施例に限定されず、例えば、図４に示す保護部材２０と連結具２１，２１とが一体化した保護ユニット２２を使用してもよい。尚、上述の実施例と同様の構成には同一符号を付して説明する。
【００３８】
保護ユニット２２は、成型品が一定の弾性を有する合成樹脂材により一体成形され、保護部材２０と連結具２１，２１とを備えている。
【００３９】
連結具２１は、互いに隣り合うフェンスユニット１，１の縦枠材２，２を跨ぐように配置される連結具基部と、連結具基部の背面に互いに間隔を置いて突設された一対の挿し込み部２３，２３とを備えている。
【００４０】
連結具基部は、保護部材２０と一体に形成され、保護部材２０が両縦枠材２，２間に跨って配置されるとともに、両側部で各フェンスユニット１の縦枠材２，２と仕切板６との間の隙間８を覆うようになっている。
【００４１】
保護部材２０は、裏面が平坦で且つ、表側に膨出した円弧断面を有するプレート状に形成され、連結される一方のフェンスユニット１の仕切板６の端から他方のフェンスユニット１の仕切板６の端までの距離とほぼ同じかそれ以上の幅となるように形成されている。
【００４２】
挿し込み部２３，２３は、図５に示すように、先端に係合部２４を一体に備え、この係合部２４が仕切板６及び縦枠材２の裏面側に係合することにより、保護ユニット２２が両フェンスユニット１，１に跨って固定され、且つ、両挿し込み部２３，２３間に両縦枠材２，２を把持し、隣り合う両フェンスユニット１，１を連結するようになっている。
【００４３】
係合部２４は、左右外側に突出した係合段部２４ａ，２４ｂが表裏方向で段違いに配置されるとともに各段部２４ａ，２４ｂより先端側が傾斜した形状に形成され、挿し込み部２３全体が左右非対称の変形矢印状を成している。
【００４４】
そして、各挿し込み部２３，２３を互いに隣り合うフェンスユニット１の縦枠材２と仕切板６との間の隙間８に挿し込むことにより、係合部２４の係合段部２４ａ，２４ｂがそれぞれ仕切板６及び縦枠材２の裏面側と係合するようになっている。
【００４５】
尚、上述の実施例では、保護部材１２，２０の高さを仕切板６の高さに整合させ、仕切板６と縦枠材２との間の隙間８を覆うようにした例について説明したが、保護部材１２，２０の高さは限定されず、例えば、保護部材１２，２０の高さをフェンスユニット１の全高に亘る高さとし、金網５と縦枠材２，２との間の隙間８も覆うようにしてもよい。
【００４６】
また、保護部材１２，２０の態様は、上述した平板状及び円弧断面を有するプレート状に限定されず、例えば、断面コ字状などであってもよい。
【００４７】
また、図４、図５に示す第２の実施例では、一対の挿し込み部２３，２３を有する連結具２２，２２を保護部材２１の上下方向に間隔を置いて備えた例について説明したが、一対の挿し込み部２３，２３を保護部材２１の長手方向に向けた互いに平行な突条状に形成し、保護ユニット２２全体が連結具を成すようにしてもよい。
【００４８】
更に、左右外側に突出した係合段部２４ａ，２４ｂが表裏方向で段違いに配置された係合部２４について説明したが、係合段部２４ａ，２４ｂの何れか一方のみを有し、やじり部が片側のみの矢印状であってもよい。
【符号の説明】
【００４９】
１  フェンスユニット
２  縦枠材
３  横枠材
４  枠体
５  金網
６  仕切板
７  保持具
８  隙間
１０  連結具
１１  ブロック材
１２  保護部材
１３  把持金具
１４  ねじ部材
１５ａ，１５ｂ  ナット
１６  表示部
２０  保護部材
２１  連結具
２２  保護ユニット
２３  挿し込み部
２４  係合部
２４ａ，２４ｂ  係合段部
【図１】
0003193102.tif 000003
【図２】
0003193102.tif 000004
【図３】
0003193102.tif 000005
【図４】
0003193102.tif 000006
【図５】
0003193102.tif 000007
【図６】
0003193102.tif 000008